【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
所定の装置を認証する認証制御部を備える、遊技場内に遊技機に対応して設置され、当該対応する遊技機を動作させるための遊技用装置と、
前記所定の装置を認証する、前記遊技場外に設置された認証装置と、
を備える遊技用システムであって、
前記所定の装置は、前記遊技用装置又は前記遊技機に搭載されたものであり、
前記認証制御部は、前記所定の装置を識別する識別情報を記憶する記憶手段と、前記所定の装置が送信する前記所定の装置の識別情報を取得し、取得した識別情報と前記記憶手段が記憶する識別情報とに基づいて前記所定の装置の認証を行う認証手段と、前記所定の装置が送信する前記識別情報を前記認証装置に対して送信し、前記認証装置に対して前記識別情報に基づく前記所定の装置の認証の問い合わせを行う問い合わせ手段と、を有し、
前記認証装置は、前記認証制御部に前記問い合わせ手段を制御するための制御情報を供給する供給手段を備え、
前記問い合わせ手段は、前記制御情報の内容に応じて、前記問い合わせを行うか否かを決定する、
ことを特徴とする遊技用システム。
【請求項２】
所定の装置を認証する認証制御部を備える、遊技場内に遊技機に対応して設置され、当該対応する遊技機を動作させるための遊技用装置であって、
前記所定の装置は、前記遊技用装置又は前記遊技機に搭載されたものであり、
前記認証制御部は、前記所定の装置を識別する識別情報を記憶する記憶手段と、前記所定の装置が送信する前記所定の装置の識別情報を取得し、取得した識別情報と前記記憶手段が記憶する識別情報とに基づいて前記所定の装置の認証を行う認証手段と、前記所定の装置が送信する前記識別情報を、前記所定の装置を認証する、前記遊技場外に設置された認証装置に対して送信し、前記認証装置に対して前記識別情報に基づく前記所定の装置の認証の問い合わせを行う問い合わせ手段と、を有し、
前記認証装置は、前記認証制御部に前記問い合わせ手段を制御するための制御情報を供給する供給手段を備え、
前記問い合わせ手段は、前記制御情報の内容に応じて、前記問い合わせを行うか否かを決定する、
ことを特徴とする遊技用装置。
【請求項３】
遊技場内に遊技機に対応して設置され、当該対応する遊技機を動作させるための遊技用装置に搭載され、所定の装置を認証する制御装置であって、
前記所定の装置は、前記遊技用装置又は前記遊技機に搭載されたものであり、
前記制御装置は、前記所定の装置を識別する識別情報を記憶する記憶手段と、前記所定の装置が送信する前記所定の装置の識別情報を取得し、取得した識別情報と前記記憶手段が記憶する識別情報とに基づいて前記所定の装置の認証を行う認証手段と、前記所定の装置が送信する前記識別情報を、前記所定の装置を認証する、前記遊技場外に設置された認証装置に対して送信し、前記認証装置に対して前記識別情報に基づく前記所定の装置の認証の問い合わせを行う問い合わせ手段と、を有し、
前記認証装置は、前記制御装置に前記問い合わせ手段を制御するための制御情報を供給する供給手段を備え、
前記問い合わせ手段は、前記制御情報の内容に応じて、前記問い合わせを行うか否かを決定する、
ことを特徴とする制御装置。
【手続補正２】
【補正対象書類名】明細書
【補正対象項目名】発明の名称
【補正方法】変更
【補正の内容】
【発明の名称】遊技用システム、遊技用装置、及び、制御装置
【手続補正３】
【補正対象書類名】明細書
【補正対象項目名】０００１
【補正方法】変更
【補正の内容】
【０００１】
本発明は、遊技用装置を備える遊技用システム、遊技用装置、及び、制御装置に関する。
【手続補正４】
【補正対象書類名】明細書
【補正対象項目名】０００６
【補正方法】変更
【補正の内容】
【０００６】
本発明は、このような背景のもとになされたものであり、その目的とするところは、状況に応じた適切な問い合わせを行うことができる遊技用システム、遊技用装置、及び、制御装置を提供することにある。
【手続補正５】
【補正対象書類名】明細書
【補正対象項目名】０００７
【補正方法】変更
【補正の内容】
【０００７】
（１）上記目的を達成するため、本発明に係る遊技用システムは、
所定の装置（例えば、払出制御チップ１１など）を認証する認証制御部（例えば、セキュリティチップ２２など）を備える、遊技場（例えば、遊技場５００など）内に遊技機に対応して設置され、当該対応する遊技機を動作させるための遊技用装置（例えば、カードユニット２０など）と、
前記所定の装置を認証する、前記遊技場外に設置された認証装置（例えば、鍵管理センターサーバ３１０など）と、
を備える遊技用システム（例えば、遊技用システム１など）であって、
前記所定の装置は、前記遊技用装置又は前記遊技機（パチンコ機１０）に搭載されたものであり、
前記認証制御部は、前記所定の装置を識別する識別情報を記憶する記憶手段（例えば、チップ情報を記憶する記憶部２２ｂ）と、前記所定の装置が送信する前記所定の装置の識別情報を取得し、取得した識別情報と前記記憶手段が記憶する識別情報とに基づいて前記所定の装置の認証を行う認証手段（例えば、ステップＣ２９で送信されたチップ情報を照合する処理部２２ａ）と、前記所定の装置が送信する前記識別情報を前記認証装置に対して送信し、前記認証装置に対して前記識別情報に基づく前記所定の装置の認証の問い合わせを行う問い合わせ手段（例えば、照合結果に応じて、ステップＧ５、Ｇ６の処理を行う処理部２２ａ）と、を有し、
前記認証装置は、前記認証制御部に前記問い合わせ手段を制御するための制御情報（例えば、制御情報など）を供給する供給手段（例えば、ステップＨ１からＨ３参照）を備え、
前記問い合わせ手段は、前記制御情報の内容に応じて、前記問い合わせを行うか否かを決定する（例えば、ステップＨ３などを参照）、
ことを特徴とする。
【手続補正６】
【補正対象書類名】明細書
【補正対象項目名】０００９
【補正方法】変更
【補正の内容】
【０００９】
（２）上記目的を達成するため、参考例に係る遊技用システムは、
所定の装置（例えば、ＣＵ制御部２１など）を認証する認証制御部（例えば、セキュリティチップ２２など）を備える、遊技場（例えば、遊技場５００など）内に設置された遊技用装置（例えば、カードユニット２０など）と、
前記所定の装置を認証する、前記遊技場外に設置された認証装置（例えば、鍵管理センターサーバ３１０など）と、
を備える遊技用システム（例えば、遊技用システム１など）であって、
前記所定の装置は、前記遊技用装置又は他の遊技用装置（パチンコ機１０）に搭載されたものであり、
前記認証制御部は、前記所定の装置を識別する識別情報（例えば、認証用情報Ｃ１）と、前記所定の装置を認証するための認証用情報（例えば、暗号鍵Ｃ２）と、を記憶する記憶手段（例えば、記憶部２２ｂ、処理部２２ａなど）と、前記所定の装置と前記認証用情報を用いた通信を行い、通信状況に基づいて前記所定の装置の認証を行う認証手段（例えば、ステップＤ９において暗号鍵Ｃ２を用いて暗号通信を行えない場合を特定する処理部２２ａ）と、前記記憶手段が記憶する前記識別情報を前記認証装置に対して送信し、前記認証装置に対して前記識別情報に基づく前記所定の装置の認証の問い合わせを行う問い合わせ手段（例えば、暗号鍵Ｃ２を用いて暗号通信を行えない場合に、第１のモードに移行する処理部２２ａ）と、を有し、
前記認証装置は、前記認証制御部に前記問い合わせ手段を制御するための制御情報（例えば、制御情報など）を供給する供給手段（例えば、ステップＨ１からＨ３参照）を備え、
前記問い合わせ手段は、前記制御情報の内容に応じて、前記問い合わせを行うか否かを決定する（例えば、ステップＨ３参照）、
ことを特徴とする。
【手続補正７】
【補正対象書類名】明細書
【補正対象項目名】００１１
【補正方法】変更
【補正の内容】
【００１１】
（３）上記目的を達成するため、本発明に係る遊技用装置は、
所定の装置（例えば、払出制御チップ１１など）を認証する認証制御部（例えば、セキュリティチップ２２など）を備える、遊技場（例えば、遊技場５００など）内に遊技機に対応して設置され、当該対応する遊技機を動作させるための遊技用装置（例えば、カードユニット２０など）であって、
前記所定の装置は、前記遊技用装置又は前記遊技機（パチンコ機１０）に搭載されたものであり、
前記認証制御部は、前記所定の装置を識別する識別情報を記憶する記憶手段（例えば、チップ情報を記憶する記憶部２２ｂ）と、前記所定の装置が送信する前記所定の装置の識別情報を取得し、取得した識別情報と前記記憶手段が記憶する識別情報とに基づいて前記所定の装置の認証を行う認証手段（例えば、ステップＣ２９で送信されたチップ情報を照合する処理部２２ａ）と、前記所定の装置が送信する前記識別情報を、前記所定の装置を認証する、前記遊技場外に設置された認証装置（例えば、鍵管理センターサーバ３１０など）に対して送信し、前記認証装置に対して前記識別情報に基づく前記所定の装置の認証の問い合わせを行う問い合わせ手段（例えば、照合結果に応じて、ステップＧ５、Ｇ６の処理を行う処理部２２ａ）と、を有し、
前記認証装置は、前記認証制御部に前記問い合わせ手段を制御するための制御情報（例えば、制御情報など）を供給する供給手段（例えば、ステップＨ１からＨ３参照）を備え、
前記問い合わせ手段は、前記制御情報の内容に応じて、前記問い合わせを行うか否かを決定する（例えば、ステップＨ３などを参照）、
ことを特徴とする。
（４）上記目的を達成するため、本発明に係る制御装置は、
遊技場（例えば、遊技場５００など）内に遊技機に対応して設置され、当該対応する遊技機を動作させるための遊技用装置（例えば、カードユニット２０など）に搭載され、所定の装置（例えば、払出制御チップ１１など）を認証する制御装置（例えば、セキュリティチップ２２、セキュリティ基板２４など）であって、
前記所定の装置は、前記遊技用装置又は前記遊技機（パチンコ機１０）に搭載されたものであり、
前記制御装置は、前記所定の装置を識別する識別情報を記憶する記憶手段（例えば、チップ情報を記憶する記憶部２２ｂ）と、前記所定の装置が送信する前記所定の装置の識別情報を取得し、取得した識別情報と前記記憶手段が記憶する識別情報とに基づいて前記所定の装置の認証を行う認証手段（例えば、ステップＣ２９で送信されたチップ情報を照合する処理部２２ａ）と、前記所定の装置が送信する前記識別情報を、前記所定の装置を認証する、前記遊技場外に設置された認証装置（例えば、鍵管理センターサーバ３１０など）に対して送信し、前記認証装置に対して前記識別情報に基づく前記所定の装置の認証の問い合わせを行う問い合わせ手段（例えば、照合結果に応じて、ステップＧ５、Ｇ６の処理を行う処理部２２ａ）と、を有し、
前記認証装置は、前記制御装置に前記問い合わせ手段を制御するための制御情報（例えば、制御情報など）を供給する供給手段（例えば、ステップＨ１からＨ３参照）を備え、
前記問い合わせ手段は、前記制御情報の内容に応じて、前記問い合わせを行うか否かを決定する（例えば、ステップＨ３などを参照）、
ことを特徴とする。
【手続補正８】
【補正対象書類名】明細書
【補正対象項目名】００１３
【補正方法】変更
【補正の内容】
【００１３】
（５）上記目的を達成するため、参考例に係る遊技用装置は、
所定の装置（例えば、ＣＵ制御部２１など）を認証する認証制御部（例えば、セキュリティチップ２２など）を備える、遊技場（例えば、遊技場５００など）内に設置された遊技用装置（例えば、カードユニット２０など）であって、
前記所定の装置は、前記遊技用装置又は他の遊技用装置（パチンコ機１０）に搭載されたものであり、
前記認証制御部は、前記所定の装置を識別する識別情報（例えば、認証用情報Ｃ１）と、前記所定の装置を認証するための認証用情報（例えば、暗号鍵Ｃ２）と、を記憶する記憶手段（記憶部２２ｂ）と、前記所定の装置と前記認証用情報を用いた通信を行い、通信状況に基づいて前記所定の装置の認証を行う認証手段（例えば、ステップＤ９において暗号鍵Ｃ２を用いて暗号通信を行えない場合を特定する処理部２２ａ）と、前記記憶手段が記憶する前記識別情報を、前記所定の装置を認証する、前記遊技場外に設置された認証装置（例えば、鍵管理センターサーバ３１０など）に対して送信し、前記認証装置に対して前記識別情報に基づく前記所定の装置の認証の問い合わせを行う問い合わせ手段（例えば、暗号鍵Ｃ２を用いて暗号通信を行えない場合に、第１のモードに移行する処理部２２ａ）と、を有し、
前記認証装置は、前記認証制御部に前記問い合わせ手段を制御するための制御情報（例えば、制御情報など）を供給する供給手段（例えば、ステップＨ１からＨ３参照）を備え、
前記問い合わせ手段は、前記制御情報の内容に応じて、前記問い合わせを行うか否かを決定する（例えば、ステップＨ３参照）、
ことを特徴とする。
【手続補正９】
【補正対象書類名】明細書
【補正対象項目名】００１５
【補正方法】変更
【補正の内容】
【００１５】
（６）上記（１）から（５）のいずれかの遊技用システム又は遊技用装置において、
前記問い合わせ手段は、前記制御情報の内容と前記認証手段による認証の結果とに基づいて、前記問い合わせを行うかを特定する（例えば、ステップＨ３参照）、
ようにしてもよい。
【手続補正１０】
【補正対象書類名】明細書
【補正対象項目名】００１７
【補正方法】変更
【補正の内容】
【００１７】
（７）上記（１）から（６）のいずれかの遊技用システム又は遊技用装置において、
前記外部の装置に送信される前記識別情報は、前記問い合わせ手段によって暗号化され、暗号化された状態のまま所定の中間装置を介して前記外部の装置に送信され、前記外部の装置で復号化される、
ようにしてもよい。